(57)【要約】【課題】電力変換装置の停止を回避しつつ、単独運転検出と電圧変動抑制との相互干渉を抑制する。【解決手段】商用電力系統と系統連系する電力変換装置であって、商用電力系統に繋がる交流電路と直流電源との間に設けられ、直流から交流又はその逆の電力変換を行う電力変換部と、電力変換部のスイッチング動作を制御し、交流電路の交流電圧に基づいて、単独運転検出用に注入すべき第１の無効電力を求める第１演算部、及び、交流電路の電圧変動抑制用の有効電力及び第２の無効電力を求める第２演算部を含む制御部と、を備え、第１演算部が第２の無効電力と干渉する第１の無効電力を注入しようとするとき、制御部は、第２の無効電力の現在値を一定に保持した状態で第１の無効電力を注入する、電力変換装置である。【選択図】図２
2020078134.tif 000002
【特許請求の範囲】
【請求項１】
商用電力系統と系統連系する電力変換装置であって、
前記商用電力系統に繋がる交流電路と直流電源との間に設けられ、直流から交流又はその逆の電力変換を行う電力変換部と、
前記電力変換部のスイッチング動作を制御し、前記交流電路の交流電圧に基づいて、単独運転検出用に注入すべき第１の無効電力を求める第１演算部、及び、前記交流電路の電圧変動抑制用の有効電力及び第２の無効電力を求める第２演算部を含む制御部と、
を備え、
前記第１演算部が前記第２の無効電力と干渉する前記第１の無効電力を注入しようとするとき、前記制御部は、前記第２の無効電力の現在値を一定に保持した状態で前記第１の無効電力を注入する、電力変換装置。
【請求項２】
前記第１の無効電力の前回値からの変化量と、前記第２の無効電力の前回値からの変化量とに関して、一方の変化量が進み方向であって他方の変化量が遅れ方向である場合、前記制御部は、前記第２の無効電力の現在値を一定に保持した状態で前記第１の無効電力を注入する、請求項１に記載の電力変換装置。
【請求項３】
前記制御部は、前記第１の無効電力の前回値からの変化量が０以外の値であるとき、前記第２の無効電力の現在値を一定に保持する、請求項１に記載の電力変換装置。
【請求項４】
前記直流電源から前記交流電路に電力を供給する場合において、前記第２の無効電力は進相無効電力であり、
前記第１演算部が前記第２の無効電力と干渉する前記第１の無効電力を注入しようとするとき、前記制御部は、前記第２の無効電力の現在値を一定に保持するとともに前記有効電力を低減する、請求項１〜請求項３のいずれか１項に記載の電力変換装置。
【請求項５】
前記交流電路から蓄電池である前記直流電源に充電電力を供給する場合において、前記第２の無効電力は遅相無効電力であり、
前記第１演算部が前記第２の無効電力と干渉する前記第１の無効電力を注入しようとするとき、前記制御部は、前記第２の無効電力の現在値を一定に保持するとともに前記有効電力を低減する、請求項１〜請求項３のいずれか１項に記載の電力変換装置。
【請求項６】
直流電源と、
前記直流電源と接続され、商用電力系統と系統連系する電力変換装置と、を有する電源システムであって、前記電力変換装置は、
前記商用電力系統に繋がる交流電路と前記直流電源との間に設けられ、直流から交流又はその逆の電力変換を行う電力変換部と、
前記電力変換部のスイッチング動作を制御し、前記交流電路の交流電圧に基づいて、単独運転検出用に注入すべき第１の無効電力を求める第１演算部、及び、前記交流電路の電圧変動抑制用の有効電力及び第２の無効電力を求める第２演算部を含む制御部と、
を備え、
前記第１演算部が前記第２の無効電力と干渉する前記第１の無効電力を注入しようとするとき、前記制御部は、前記第２の無効電力の現在値を一定に保持した状態で前記第１の無効電力を注入する、電源システム。
【請求項７】
商用電力系統に繋がる交流電路と直流電源との間に設けられ、直流から交流又はその逆の電力変換を行う電力変換部を有する電力変換装置についての、その制御方法であって、
前記電力変換部のスイッチング動作を制御するとともに、前記交流電路の交流電圧に基づいて、単独運転検出用に注入すべき第１の無効電力を求め、また、前記交流電路の電圧変動抑制用の有効電力及び第２の無効電力を求め、
前記第１演算部が前記第２の無効電力と干渉する前記第１の無効電力を注入しようとするとき、前記第２の無効電力の現在値を一定に保持した状態で前記第１の無効電力を注入する、
電力変換装置の制御方法。
【発明の詳細な説明】
【技術分野】
【０００１】
本発明は、電力変換装置、電源システム、及び、電力変換装置の制御方法に関する。
【背景技術】
【０００２】
電力変換装置（パワーコンディショナ）には、商用電力系統の停電時に、停電を検出して自己を商用電力系統から解列するため、単独運転検出機能が設けられている（日本電機工業会ＪＥＭ１４９８より）。一方、商用電力系統の電圧が上昇している場合に、電力変換装置が、自己から見て商用電力系統への進相無効電力を増大させることで電圧上昇を抑制することも考えられている。単独運転検出は迅速に行われる必要があるので、短時間で繰り返し行われている。一方、電圧上昇抑制は、比較的長い周期で行われている。単独運転検出と同時に電圧上昇抑制が行われると、両者の制御が干渉して正常動作しない場合があり得る。そこで、このような干渉の恐れがあるときは、一時的に電力変換装置を停止させる制御を行うことも提案されている（例えば、特許文献１参照。）。
【先行技術文献】
【特許文献】
【０００３】
【特許文献１】特開２０１５−１８０１２３号公報
【発明の概要】
【発明が解決しようとする課題】
【０００４】
しかしながら、電力変換装置を例え短時間でも停止させると、発電効率が悪くなる。かかる課題に鑑み、本発明は、停止を回避しつつ、単独運転検出と電圧変動抑制との相互干渉を抑制することを目的とする。
【課題を解決するための手段】
【０００５】
本開示は、以下の発明を含む。但し、本発明は、特許請求の範囲によって定められるものである。
【０００６】
本発明の一表現に係る電力変換装置は、商用電力系統と系統連系する電力変換装置であって、前記商用電力系統に繋がる交流電路と直流電源との間に設けられ、直流から交流又はその逆の電力変換を行う電力変換部と、前記電力変換部のスイッチング動作を制御し、前記交流電路の交流電圧に基づいて、単独運転検出用に注入すべき第１の無効電力を求める第１演算部、及び、前記交流電路の電圧変動抑制用の有効電力及び第２の無効電力を求める第２演算部を含む制御部と、を備え、前記第１演算部が前記第２の無効電力と干渉する前記第１の無効電力を注入しようとするとき、前記制御部は、前記第２の無効電力の現在値を一定に保持した状態で前記第１の無効電力を注入する。
【０００７】
また、本発明の一表現に係る電源システムは、直流電源と、前記直流電源と接続され、商用電力系統と系統連系する電力変換装置と、を有する電源システムであって、前記電力変換装置は、前記商用電力系統に繋がる交流電路と前記直流電源との間に設けられ、直流から交流又はその逆の電力変換を行う電力変換部と、前記電力変換部のスイッチング動作を制御し、前記交流電路の交流電圧に基づいて、単独運転検出用に注入すべき第１の無効電力を求める第１演算部、及び、前記交流電路の電圧変動抑制用の有効電力及び第２の無効電力を求める第２演算部を含む制御部と、を備え、前記第１演算部が前記第２の無効電力と干渉する前記第１の無効電力を注入しようとするとき、前記制御部は、前記第２の無効電力の現在値を一定に保持した状態で前記第１の無効電力を注入する。
【０００８】
また、本発明の一表現に係る電力変換装置の制御方法は、商用電力系統に繋がる交流電路と直流電源との間に設けられ、直流から交流又はその逆の電力変換を行う電力変換部を有する電力変換装置についての、その制御方法であって、前記電力変換部のスイッチング動作を制御するとともに、前記交流電路の交流電圧に基づいて、単独運転検出用に注入すべき第１の無効電力を求め、また、前記交流電路の電圧変動抑制用の有効電力及び第２の無効電力を求め、前記第１演算部が前記第２の無効電力と干渉する前記第１の無効電力を注入しようとするとき、前記第２の無効電力の現在値を一定に保持した状態で前記第１の無効電力を注入する。
【発明の効果】
【０００９】
本発明によれば、電力変換装置の停止を回避しつつ、単独運転検出と電圧変動抑制との相互干渉を抑制することができる。
【図面の簡単な説明】
【００１０】
【図１】図１は、電力変換装置の一例と、その入出力回路とを示す回路図である。
【図２】図２は、制御部における制御機能を示す制御ブロック線図である。
【図３】図３は、電圧変動（上昇）抑制用の制御の第１例を示すフローチャートである。
【図４】図４は、電圧変動（上昇）抑制用の制御の第２例を示すフローチャートである。
【図５】図５は、電圧変動（下降）抑制用の制御の第３例を示すフローチャートである。
【図６】図６は、電圧変動（下降）抑制用の制御の第４例を示すフローチャートである。
【発明を実施するための形態】
【００１１】
［実施形態の要旨］
本発明の実施形態の要旨としては、少なくとも以下のものが含まれる。
【００１２】
（１）本開示は、商用電力系統と系統連系する電力変換装置であって、前記商用電力系統に繋がる交流電路と直流電源との間に設けられ、直流から交流又はその逆の電力変換を行う電力変換部と、前記電力変換部のスイッチング動作を制御し、前記交流電路の交流電圧に基づいて、単独運転検出用に注入すべき第１の無効電力を求める第１演算部、及び、前記交流電路の電圧変動抑制用の有効電力及び第２の無効電力を求める第２演算部を含む制御部と、を備え、前記第１演算部が前記第２の無効電力と干渉する前記第１の無効電力を注入しようとするとき、前記制御部は、前記第２の無効電力の現在値を一定に保持した状態で前記第１の無効電力を注入する、電力変換装置である。
【００１３】
このような電力変換装置では、制御部により電圧変動抑制の動作が行われているとき同時に、単独運転検出の動作を行おうとすると、第１の無効電力が、第２の無効電力と干渉する場合がある。そこで、このような場合に制御部は、第２の無効電力の現在値を一定に保持して、第１の無効電力を注入する。これによって、電圧変動抑制機能を抑制し当該機能と単独運転検出機能との干渉を避け、電力変換装置を運転したまま、単独運転検出を行うことができる。
【００１４】
（２）また、（１）の電力変換装置において、前記第１の無効電力の前回値からの変化量と、前記第２の無効電力の前回値からの変化量とに関して、一方の変化量が進み方向であって他方の変化量が遅れ方向である場合、前記制御部は、前記第２の無効電力の現在値を一定に保持した状態で前記第１の無効電力を注入するようにしてもよい。
このような場合に、第１の無効電力が、第２の無効電力と干渉する。そこで、このような場合に、制御部は、電圧変動抑制機能を一定状態に保持し、単独運転検出を行うことができる。
【００１５】
（３）また、（１）の電力変換装置において、前記制御部は、前記第１の無効電力の前回値からの変化量が０以外の値であるとき、前記第２の無効電力の現在値を一定に保持するようにしてもよい。
これにより、第１の無効電力が第２の無効電力と干渉する場合はもちろん、干渉しない場合も含めて、制御部は、電圧変動抑制機能を一定状態に保持し、単独運転検出を行うことができる。
【００１６】
（４）上記（１）〜（３）のいずれかの電力変換装置において、前記直流電源から前記交流電路に電力を供給する場合において、前記第２の無効電力は進相無効電力であり、前記第１演算部が前記第２の無効電力と干渉する前記第１の無効電力を注入しようとするとき、前記制御部は、前記第２の無効電力の現在値を一定に保持するとともに前記有効電力を低減するようにしてもよい。
これにより、直流電源から交流電路に電力を供給する電力変換の場合に、有効電力を低減することにより、交流電路の電圧上昇を抑制することができる。
【００１７】
（５）また、上記（１）〜（３）のいずれかの電力変換装置において、前記交流電路から蓄電池である前記直流電源に充電電力を供給する場合において、前記第２の無効電力は遅相無効電力であり、前記第１演算部が前記第２の無効電力と干渉する前記第１の無効電力を注入しようとするとき、前記制御部は、前記第２の無効電力の現在値を一定に保持するとともに前記有効電力を低減するようにしてもよい。
これにより、交流電路から直流電源に充電電力を供給する電力変換の場合に、有効電力を低減することにより、交流電路の電圧低下を抑制することができる。
【００１８】
（６）一方、本開示は、直流電源と、前記直流電源と接続され、商用電力系統と系統連系する電力変換装置と、を有する電源システムであって、前記電力変換装置は、前記商用電力系統に繋がる交流電路と前記直流電源との間に設けられ、直流から交流又はその逆の電力変換を行う電力変換部と、前記電力変換部のスイッチング動作を制御し、前記交流電路の交流電圧に基づいて、単独運転検出用に注入すべき第１の無効電力を求める第１演算部、及び、前記交流電路の電圧変動抑制用の有効電力及び第２の無効電力を求める第２演算部を含む制御部と、を備え、前記第１演算部が前記第２の無効電力と干渉する前記第１の無効電力を注入しようとするとき、前記制御部は、前記第２の無効電力の現在値を一定に保持した状態で前記第１の無効電力を注入する、電源システムである。
【００１９】
このような電源システムの電力変換装置では、制御部により電圧変動抑制の動作が行われているとき同時に、単独運転検出の動作を行おうとすると、第１の無効電力が、第２の無効電力と干渉する場合がある。そこで、このような場合に制御部は、第２の無効電力の現在値を一定に保持して、第１の無効電力を注入する。これによって、電圧変動抑制機能を抑制し当該機能と単独運転検出機能との干渉を避け、電力変換装置を運転したまま、単独運転検出を行うことができる。
【００２０】
（７）また、本開示は、商用電力系統に繋がる交流電路と直流電源との間に設けられ、直流から交流又はその逆の電力変換を行う電力変換部を有する電力変換装置についての、その制御方法であって、前記電力変換部のスイッチング動作を制御するとともに、前記交流電路の交流電圧に基づいて、単独運転検出用に注入すべき第１の無効電力を求め、また、前記交流電路の電圧変動抑制用の有効電力及び第２の無効電力を求め、前記第１演算部が前記第２の無効電力と干渉する前記第１の無効電力を注入しようとするとき、前記第２の無効電力の現在値を一定に保持した状態で前記第１の無効電力を注入する、電力変換装置の制御方法である。
【００２１】
このような電力変換装置の制御方法では、電圧変動抑制の動作が行われているとき同時に、単独運転検出の動作を行おうとすると、第１の無効電力が、第２の無効電力と干渉する場合がある。そこで、このような場合に、第２の無効電力の現在値を一定に保持して、第１の無効電力を注入する。これによって、電圧変動抑制機能を抑制し当該機能と単独運転検出機能との干渉を避け、電力変換装置を運転したまま、単独運転検出を行うことができる。
【００２２】
［実施形態の詳細］
以下、本発明の一実施形態に係る電力変換装置及びその制御方法について、図面を参照して説明する。
【００２３】
《電力変換装置の構成例》
図１は、電力変換装置１００の一例と、その入出力回路とを示す回路図である。まず、主回路要素から説明すると、電力変換装置１００は、電力変換部５０として、ＤＣ／ＤＣコンバータ１及びインバータ２を備えている。電力変換装置１００の直流側（図の左側）には、直流電源３（例えば、蓄電池、太陽光発電パネル等）が接続されている。また、電力変換装置１００の交流側（図の右側）には、交流電路４が接続されている。
なお、直流電源３と電力変換装置１００とで、電源システムを構成している。
【００２４】
なお、交流電路４の２線は通常、単相３線の電圧線（Ｕ線，Ｗ線）である。実際には、電力変換装置１００内で中間電位（０Ｖ）の中性線（Ｏ線）を作り出し、単相３線の商用電力系統７と３線接続することが多いが、ここでは簡略化して図示している。
交流電路４には、需要家の負荷５が接続される。また、交流電路４には連系リレー６が設けられている。連系リレー６は、商用電力系統７と接続されている。
【００２５】
なお、ここでは、直流電源３からＤＣ／ＤＣコンバータ１までの直流系統は１系統である最も簡素な例を示しているが、これに限らず、複数系統が存在し、ＤＣバス８にて互いに並列に接続される回路構成であってもよい。
【００２６】
直流電源３とＤＣ／ＤＣコンバータ１との間には、直流側コンデンサ９が設けられている。ＤＣ／ＤＣコンバータ１は、直流リアクトル１０と、ローサイドのスイッチング素子Ｑ１と、ハイサイドのスイッチング素子Ｑ２とを図示のように接続して構成されている。各スイッチング素子Ｑ１，Ｑ２にはそれぞれ、逆並列にダイオードｄ１，ｄ２が接続されている。ＤＣ／ＤＣコンバータ１は、昇圧チョッパとして動作するか又は逆方向に降圧チョッパとして動作することもできる。
【００２７】
なお、図示のスイッチング素子Ｑ１，Ｑ２は、ＩＧＢＴ（Insulated Gate Bipolar Transistor）である。他のスイッチング素子Ｑ３〜Ｑ６についても同様である。但し、ＩＧＢＴに代えてＭＯＳ−ＦＥＴ（Metal-Oxide-Semiconductor Field-Effect Transistor）等のスイッチング素子を使用することもできる。
【００２８】
ＤＣバス８の２線間には、中間コンデンサ１１が設けられている。ＤＣバス８にはインバータ２が接続されている。インバータ２は、ブリッジ回路を構成するスイッチング素子Ｑ３，Ｑ４，Ｑ５，Ｑ６を備えている。スイッチング素子Ｑ３，Ｑ４，Ｑ５，Ｑ６にはそれぞれ、逆並列にダイオードｄ３，ｄ４，ｄ５，ｄ６が接続されている。インバータ２の交流側には、交流リアクトル１２及び交流側コンデンサ１３が設けられている。
【００２９】
計測・制御に関する要素については、まず、電圧センサ１４は、直流側コンデンサ９の両端電圧を検出し、検出出力を制御部２０に送る。電流センサ１５は、ＤＣ／ＤＣコンバータ１に流れる電流を検出し、検出出力を制御部２０に送る。電圧センサ１６は、ＤＣバス８の２線間の電圧を検出し、検出出力を制御部２０に送る。電流センサ１７は、交流リアクトル１２に流れる電流を検出し、検出出力を制御部２０に送る。電圧センサ１８は、交流電路４の２線間の電圧を検出し、検出出力を制御部２０に送る。
【００３０】
制御部２０は、各センサからの検出出力に基づいて、スイッチング素子Ｑ１〜Ｑ６を制御する。また、制御部２０は、連系リレー６の開閉を制御する。電力変換装置１００の通常運転時は、連系リレー６は閉路している。商用電力系統７が停電し、電力変換装置１００が単独運転の状態となったことを検出したときは、制御部２０は、連系リレー６を開路する。
制御部２０は例えば、コンピュータを含み、ソフトウェア（コンピュータプログラム）をコンピュータが実行することで、必要な制御機能を実現する。ソフトウェアは、制御部２０の記憶装置（図示せず。）に格納される。
【００３１】
なお、上記電力変換装置１００は、双方向性があり、直流から交流への電力変換の他、直流電源３が蓄電池である場合には、交流から直流への電力変換を行って蓄電池を充電することもできる。
【００３２】
《通常の制御の一例》
通常運転時は、前述のように、制御部２０は、各センサからの検出出力に基づいて、スイッチング素子Ｑ１〜Ｑ６を制御することにより電力変換装置１００の系統連系運転を行うことができる。
【００３３】
電力変換装置１００が、商用電力系統７と、その交流電圧の絶対値のピーク値より低い電圧の直流電源３との間に設けられている場合、好ましい既知の制御の一例としては、交流半サイクル内で、交流の位相に応じて、ＤＣ／ＤＣコンバータ１及びインバータ２の一方にスイッチング動作を行わせ、他方は休止させる期間を生じさせる。そして、制御部２０は、交流電力の電圧、交流リアクトル１２を流れる電流及び交流リアクトル１２のインピーダンスによる電圧変化、中間コンデンサ１１及び交流側コンデンサ１３をそれぞれ流れる無効電流、並びに、直流電力の電圧に基づいて、ＤＣ／ＤＣコンバータ１の電流指令値を、交流電力の電流と同期するように設定する。また、交流電力の電圧として、商用電力系統７の交流電圧検出値に基づいて抽出した基本波に、検出や制御系の遅れを考慮して位相を補足した電圧を用いることができる。
【００３４】
このような電力変換装置１００では、制御部２０により、交流半サイクル内で、交流の位相に応じて、ＤＣ／ＤＣコンバータ１及びインバータ２の一方にスイッチング動作を行わせ、他方は休止させる期間を生じさせる、という「最小スイッチング変換方式」を実行することができる。この方式を高い変換効率で実現すべく、交流電力の電圧、交流リアクトル１２を流れる電流及び交流リアクトル１２のインピーダンスによる電圧変化、中間コンデンサ１１及び交流側コンデンサ１３をそれぞれ流れる無効電流、並びに、直流電力の電圧に基づいて、制御部２０は、ＤＣ／ＤＣコンバータ１の電流指令値を、交流電力の電流と同期するように設定する。
【００３５】
そして、交流電力の電圧として、商用電力系統７の交流電圧検出値（電圧センサ１８が検出する交流電圧）に基づいて抽出した基本波に、検出や制御系の遅れを考慮して位相を補足した電圧を用いることで、電圧位相に対する制御の遅延を抑制し、また、商用電力系統７の系統電圧の擾乱の影響を排除して、安定した、歪の少ない交流電流を得ることができる。
【００３６】
具体的には、負荷５への出力電流指令値をＩａ＊、交流側コンデンサ１３の静電容量をＣａ、交流電路４の交流電圧をＶａ、直流電源３側の電圧をＶＤＣ、ラプラス演算子をｓとする。この場合、制御部２０は、電流センサ１７に流れるべき交流出力電流指令値Ｉｉｎｖ＊を、
Ｉｉｎｖ＊＝Ｉａ＊＋ｓ ＣａＶａ    ・・・（１）
に設定する。
【００３７】
さらに、交流リアクトル１２のインピーダンスをＺａとするとき、制御部２０は、インバータ２の出力端（インバータ２と交流リアクトル１２との相互接続箇所）での交流出力電圧指令値Ｖｉｎｖ＊を、
Ｖｉｎｖ＊＝Ｖａ＋ＺａＩｉｎｖ＊    ・・・（２）
に設定する。
【００３８】
また、制御部２０は、電圧ＶＤＣ、及び、交流出力電圧指令値Ｖｉｎｖ＊の絶対値のいずれか大きい方を、ＤＣ／ＤＣコンバータ１の出力電圧指令値Ｖｏ＊に設定し、中間コンデンサ１１の静電容量をＣとするとき、ＤＣ／ＤＣコンバータ１の電流指令値Ｉｉｎ＊は、
Ｉｉｎ＊＝｛（Ｉｉｎｖ＊  ×  Ｖｉｎｖ＊）＋（ｓ Ｃ Ｖｏ＊）×Ｖｏ＊｝／ＶＤＣ
・・・（３）
に設定する。そして、交流電圧Ｖａは、実効値をＶａ＿ｒｍｓ、スイッチング動作の指令をするタイミングの位相をωｔとして、
Ｖａ＝√２ Ｖａ＿ｒｍｓ×ｓｉｎ（ωｔ）    ・・・（４）
とすることができる。
【００３９】
上記のような制御によれば、ＤＣ／ＤＣコンバータ１の電流指令値Ｉｉｎ＊は、交流電力の電圧、交流リアクトル１２を流れる電流と交流リアクトル１２のインピーダンスによる電圧変化、中間コンデンサ１１や交流側コンデンサ１３を流れる無効電流、及び直流電力の電圧を全て反映している。従って、直流電源３の電圧や、交流出力電流が変化したときでも、常に交流出力電流に同期した電力を出力することができる。
【００４０】
このような最小スイッチング変換方式の制御によって、ＤＣ／ＤＣコンバータ１及びインバータ２は、必要最低限の回数の高周波スイッチングで、直流／交流の変換を行うことができる。その結果、半導体スイッチング素子のスイッチング損失、交流及び直流リアクトルの鉄損が大幅に低減され、高い変換効率を得ることができる。さらに、系統電圧Ｖａをこのように設定することで、低歪みの交流電流を得ることができる。
【００４１】
《単独運転検出及び電圧上昇抑制を含む制御部の機能》
図２は、制御部２０における制御機能を示す制御ブロック線図である。図において、制御部２０は、電流センサ１７から交流リアクトル１２（図１）を流れる電流検出値を、電圧センサ１８から交流電路４の電圧検出値を、それぞれ、取り込んでいる。基本的には、制御部２０は、運転モードに従った制御目標（Ｂ１）に基づき、運転モードに従って有効電力演算を行い（Ｂ２）、電流指令値を定める（Ｂ３）。この電流指令値に基づいて、電流制御部（Ｂ４）は、電力変換部５０のスイッチング動作を制御する。
【００４２】
電圧センサ１８により検出された電圧検出値に基づいて、制御部２０は、系統周波数の演算を行う（Ｂ５）。演算により求めた系統周波数により、制御部２０は、単独運転検出部（Ｂ６）において、能動的検出（Ｂ７）及び受動的検出（Ｂ８）を実行する。周波数の所定値以上のずれが確認されれば単独運転検出となる。
【００４３】
また、演算により求めた系統周波数（Ｂ５）に基づいて、制御部２０は、移動平均演算（Ｂ９）、周波数偏差演算（Ｂ１０）及び周波数フィードバック機能無効電力演算（Ｂ１１）を行う。これら、移動平均演算（Ｂ９）、周波数偏差演算（Ｂ１０）及び周波数フィードバック機能無効電力演算（Ｂ１１）により、周波数フィードバック部（Ｂ１２）としての機能が行われている。
【００４４】
一方、電圧検出値に基づいて制御部２０は、基本波電圧算出（Ｂ１３）及び高調波電圧算出（Ｂ１４）を行い、無効電力のステップ注入発生条件の判定（Ｂ１５）、及び、ステップ注入機能無効電力演算（Ｂ１６）を行う。これらの処理が、ステップ注入部（Ｂ１７）としての処理となる。
【００４５】
制御部２０は、周波数フィードバック部（Ｂ１２）の演算結果及びステップ注入部（Ｂ１７）の演算結果に基づいて、単独運転検出用の無効電力注入演算を行う（Ｂ１８（第１演算部））。一方、電圧検出値に基づいて制御部２０は、電圧上昇抑制用の有効電力及び無効電力の演算を行う（Ｂ１９（第２演算部））。単独運転検出用の無効電力と電圧上昇抑制用の無効電力とは、無効電力注入演算（Ｂ２０）において合算される。電圧上昇抑制用の有効電力は、運転モードに従った有効電力演算（Ｂ２）において合算の対象となる。
【００４６】
また、電圧検出値に基づいて制御部２０は、電流制御用位相差同期処理（Ｂ２１）を行い、処理信号を、電流制御部Ｂ４に提供する。電流検出信号も、電流制御部Ｂ４に提供される。
【００４７】
ここで、注目すべきは、単独運転検出用の無効電力注入演算（Ｂ１８）と、電圧上昇抑制用の有効電力・無効電力演算（Ｂ１９）とが、演算上、繋がっている点である。具体的には、単独運転検出用の無効電力（Ｂ１８）の情報が電圧上昇抑制用の無効電力演算（Ｂ１９）に通知され、相互に干渉するときは、電圧上昇抑制用の無効電力は現在値を一定に保持した状態となる。但し、電圧上昇抑制用の有効電力はそのような制限を受けない。
【００４８】
《その他》
なお、以上の説明では、電力変換装置１００から商用電力系統７への逆潮流を想定しているが、逆に、直流電源３が蓄電池である場合には商用電力系統７から電力変換装置１００を経て直流電源３を充電する順潮流の場合にも同様な考え方を適用することができる。但し、順潮流の場合は、電圧上昇抑制ではなく電圧下降抑制となる。上昇・下降を含めて言えば、電圧変動抑制ということになる。
【００４９】
《電圧変動抑制用の制御の例示》
（電力変換装置から商用電力系統への逆潮流（無効電力の向きを考慮する場合））
＜制御パターン１の場合＞
例えば、単独運転検出用の無効電力を第１の無効電力、電圧上昇抑制用の無効電力を第２の無効電力と考える。この場合、演算の処理において、第１の無効電力の前回値からの変化量と、第２の無効電力の前回値からの変化量とに関して、一方の変化量が進み方向であって他方の変化量が遅れ方向である場合、第１の無効電力が、第２の無効電力と干渉する。そこで、制御部２０は、第２の無効電力の現在値を一定に保持した状態で第１の無効電力を注入する。これにより、制御部２０は、電圧変動抑制機能を一定状態に保持し、単独運転検出を行うことができる。
【００５０】
図３は、電圧変動(上昇)抑制用の制御の第１例を示すフローチャートである。図において、制御部２０は、電圧センサ１８（図１）の検出出力に基づいて、系統電圧は閾値以上か否かを判定する（ステップＳ１０１）。系統電圧が閾値以上である場合は電圧を下げる制御が必要であり、閾値以上でない場合は電圧を下げる制御を行う必要はない。
系統電圧が閾値以上である場合、制御部２０は、電圧センサ１８（図２）及び電流センサ１７（図２）の検出出力に基づいて、力率が下限値より大きいか否かを判定する（ステップＳ１０２）。
【００５１】
力率が下限値より大きいときは、制御部２０は、このタイミングで単独運転検出用の遅れ無効電力を注入するか否かを判定する（ステップＳ１０３）。注入しない場合には、単独運転検出との干渉の恐れはないため、制御部２０は、有効電力はそのままで、進相無効電力を増加させる（ステップＳ１０７）。一方、ステップＳ１０２において力率が下限値以下のときは、これ以上無効電力を注入できないので、有効電力を減少させて、進相無効電力を現在値に保持する（ステップＳ１０８）。また、ステップＳ１０３において遅れ無効電力を注入するときは、単独運転検出と干渉する恐れがあるので、有効電力を減少させて、進相無効電力を現在値に保持する（ステップＳ１０８）。
【００５２】
一方、ステップＳ１０１において系統電圧が閾値より低いときは、電圧を下げる必要は無い。そこで、制御部２０は、有効電力を抑制しているか否かを判定する（ステップＳ１０４）。抑制していない場合は、制御部２０は、進相無効電力を注入中か否かを判定する（ステップＳ１０５）。注入中であれば、制御部２０は、単独運転検出用の進み無効電力を注入するか否かを判定する（ステップＳ１０６）。注入しない場合には、制御部２０は、有効電力はそのままで、進相無効電力を減少させる（ステップＳ１１０）。一方、ステップＳ１０５において進相無効電力を注入中でないときは、何もしなくていいので、有効電力及び進相無効電力を保持する（ステップＳ１０９）。また、単独運転検出用の進み無効電力を注入するときは、制御部２０は、有効電力及び進相無効電力を保持する（ステップＳ１０９）。
【００５３】
さらに、ステップＳ１０４において有効電力を抑制しているときは、有効電力を優先的に戻したいので、制御部２０は、有効電力を増加させ、進相無効電力を現在値に保持する（ステップＳ１１１）。
【００５４】
（電力変換装置から商用電力系統への逆潮流（無効電力の向きを考慮しない場合））
＜制御パターン２の場合＞
前述のように、単独運転検出用の無効電力を第１の無効電力、電圧上昇抑制用の無効電力を第２の無効電力と考えて、無効電力の向きを考えないとすると、制御部２０は、第１の無効電力の前回値からの変化量が０以外の値であるとき、第２の無効電力の現在値を一定に保持するようにすればよい。これにより、第１の無効電力が第２の無効電力と干渉する場合はもちろん、干渉しない場合も含めて、制御部２０は、電圧変動抑制機能を一定状態に保持し、単独運転検出を行うことができる。いわば、制御パターン１よりも、若干ラフな制御である。
【００５５】
図４は、電圧変動(上昇)抑制用の制御の第２例を示すフローチャートである。図において、制御部２０は、電圧センサ１８（図１）の検出出力に基づいて、系統電圧は閾値以上か否かを判定する（ステップＳ２０１）。系統電圧が閾値以上である場合は電圧を下げる制御が必要であり、閾値以上でない場合は電圧を下げる制御を行う必要はない。
系統電圧が閾値以上である場合、制御部２０は、電圧センサ１８（図２）及び電流センサ１７（図２）の検出出力に基づいて、力率が下限値より大きいか否かを判定する（ステップＳ２０２）。
【００５６】
力率が下限値より大きいときは、制御部２０は、このタイミングで単独運転検出用の進みもしくは遅れ無効電力を注入するか否かを判定する（ステップＳ２０３）。注入しない場合には、単独運転検出との干渉の恐れはないため、制御部２０は、有効電力はそのままで、進相無効電力を増加させる（ステップＳ２０７）。一方、ステップＳ２０２において力率が下限値以下のときは、これ以上無効電力を注入できないので、有効電力を減少させて、進相無効電力を現在値に保持する（ステップＳ２０８）。また、ステップＳ２０３において進みもしくは遅れ無効電力を注入するときは、単独運転検出と干渉する恐れがあるので、有効電力を減少させて、進相無効電力を現在値に保持する（ステップＳ２０８）。
【００５７】
一方、ステップＳ２０１において系統電圧が閾値より低いときは、電圧を下げる必要は無い。そこで、制御部２０は、有効電力を抑制しているか否かを判定する（ステップＳ２０４）。抑制していない場合は、制御部２０は、進相無効電力を注入中か否かを判定する（ステップＳ２０５）。注入中であれば、制御部２０は、単独運転検出用の進みもしくは遅れ無効電力を注入するか否かを判定する（ステップＳ２０６）。注入しない場合には、制御部２０は、有効電力はそのままで、進相無効電力を減少させる（ステップＳ２１０）。一方、ステップＳ２０５において進相無効電力を注入中でないときは、何もしなくていいので、有効電力及び進相無効電力を保持する（ステップＳ２０９）。また、単独運転検出用の進みもしくは遅れ無効電力を注入するときは、制御部２０は、有効電力及び進相無効電力を保持する（ステップＳ２０９）。
【００５８】
さらに、ステップＳ２０４において有効電力を抑制しているときは、有効電力を優先的に戻したいので、制御部２０は、有効電力を増加させ、進相無効電力を現在値に保持する（ステップＳ２１１）。
【００５９】
（商用電力系統から電力変換装置への順潮流（無効電力の向きを考慮する場合））
＜制御パターン１の場合＞
図５は、電圧変動（下降）抑制用の制御の第３例を示すフローチャートである。図において、制御部２０は、電圧センサ１８（図１）の検出出力に基づいて、系統電圧は閾値以下か否かを判定する（ステップＳ３０１）。系統電圧が閾値以下である場合は電圧を上げる制御が必要であり、閾値以下でない場合は電圧を上げる制御を行う必要はない。
系統電圧が閾値以下である場合、制御部２０は、電圧センサ１８（図２）及び電流センサ１７（図２）の検出出力に基づいて、力率が下限値より大きいか否かを判定する（ステップＳ３０２）。
【００６０】
力率が下限値より大きいときは、制御部２０は、このタイミングで単独運転検出用の進み無効電力を注入するか否かを判定する（ステップＳ３０３）。注入しない場合には、単独運転検出との干渉の恐れはないため、制御部２０は、充電の有効電力はそのままで、遅相無効電力を増加させる（ステップＳ３０７）。一方、ステップＳ３０２において力率が下限値以下のときは、これ以上無効電力を注入できないので、充電の有効電力を減少させて、遅相無効電力を現在値に保持する（ステップＳ３０８）。また、ステップＳ３０３において進み無効電力を注入するときは、単独運転検出と干渉する恐れがあるので、充電の有効電力を減少させて、遅相無効電力を現在値に保持する（ステップＳ３０６）。
【００６１】
一方、ステップＳ３０１において系統電圧が閾値より高いときは、電圧を上げる必要は無い。そこで、制御部２０は、充電の有効電力を抑制しているか否かを判定する（ステップＳ３０４）。抑制していない場合は、制御部２０は、遅相無効電力を注入中か否かを判定する（ステップＳ３０５）。注入中であれば、制御部２０は、単独運転検出用の遅れ無効電力を注入するか否かを判定する（ステップＳ３０６）。注入しない場合には、制御部２０は、充電の有効電力はそのままで、遅相無効電力を減少させる（ステップＳ３１０）。一方、ステップＳ３０５において遅相無効電力を注入中でないときは、何もしなくていいので、充電の有効電力及び遅相無効電力を保持する（ステップＳ３０９）。また、単独運転検出用の遅れ無効電力を注入するときは、制御部２０は、充電の有効電力及び遅相無効電力を保持する（ステップＳ３０９）。
【００６２】
さらに、ステップＳ３０４において充電の有効電力を抑制しているときは、有効電力を優先的に戻したいので、制御部２０は、充電の有効電力を増加させ、遅相無効電力を現在値に保持する（ステップＳ３１１）。
【００６３】
（商用電力系統から電力変換装置への順潮流（無効電力の向きを考慮しない場合））
＜制御パターン２の場合＞
図６は、電圧変動（下降）抑制用の制御の第４例を示すフローチャートである。図において、制御部２０は、電圧センサ１８（図１）の検出出力に基づいて、系統電圧は閾値以下か否かを判定する（ステップＳ４０１）。系統電圧が閾値以下である場合は電圧を上げる制御が必要であり、閾値以下でない場合は電圧を上げる制御を行う必要はない。
系統電圧が閾値以下である場合、制御部２０は、電圧センサ１８（図２）及び電流センサ１７（図２）の検出出力に基づいて、力率が下限値より大きいか否かを判定する（ステップＳ４０２）。
【００６４】
力率が下限値より大きいときは、制御部２０は、このタイミングで単独運転検出用の進みもしくは遅れ無効電力を注入するか否かを判定する（ステップＳ４０３）。注入しない場合には、単独運転検出との干渉の恐れはないため、制御部２０は、充電の有効電力はそのままで、遅相無効電力を増加させる（ステップＳ４０７）。一方、ステップＳ４０２において力率が下限値以下のときは、これ以上無効電力を注入できないので、充電の有効電力を減少させて、遅相無効電力を現在値に保持する（ステップＳ４０６）。また、ステップＳ４０３において進みもしくは遅れ無効電力を注入するときは、単独運転検出と干渉する恐れがあるので、充電の有効電力を減少させて、遅相無効電力を現在値に保持する（ステップＳ４０８）。
【００６５】
一方、ステップＳ４０１において系統電圧が閾値より高いときは、電圧を下げる必要は無い。そこで、制御部２０は、充電の有効電力を抑制しているか否かを判定する（ステップＳ４０４）。抑制していない場合は、制御部２０は、遅相無効電力を注入中か否かを判定する（ステップＳ４０５）。注入中であれば、制御部２０は、単独運転検出用の進みもしくは遅れ無効電力を注入するか否かを判定する（ステップＳ４０６）。注入しない場合には、制御部２０は、充電の有効電力はそのままで、遅相無効電力を減少させる（ステップＳ４１０）。一方、ステップＳ４０５において遅相無効電力を注入中でないときは、何もしなくていいので、制御部２０は、充電の有効電力及び遅相無効電力を保持する（ステップＳ４０９）。また、単独運転検出用の進みもしくは遅れ無効電力を注入するときは、制御部２０は、充電の有効電力及び遅相無効電力を保持する（ステップＳ４０９）。
【００６６】
さらに、ステップＳ４０４において無効電力を抑制しているときは、有効電力を優先的に戻したいので、制御部２０は、充電の有効電力を増加させ、遅相無効電力を現在値に保持する（ステップＳ４１１）。
【００６７】
《開示のまとめ》
本開示に係る電力変換装置１００の制御部２０は、電力変換部５０のスイッチング動作を制御し、交流電路４の交流電圧に基づいて、単独運転検出用に注入すべき第１の無効電力を求める第１演算部（Ｂ１８）、及び、交流電路４の電圧変動抑制用の有効電力及び第２の無効電力を求める第２演算部（Ｂ１９）を含み、第１演算部（Ｂ１８）が第２の無効電力と干渉する第１の無効電力を注入しようとするとき、制御部２０は、第２の無効電力の現在値を一定に保持した状態で第１の無効電力を注入する。
【００６８】
このような電力変換装置では、制御部２０により電圧変動抑制の動作が行われているとき同時に、単独運転検出の動作を行おうとすると、第１の無効電力が、第２の無効電力と干渉する場合がある。そこで、このような場合に制御部２０は、第２の無効電力の現在値を一定に保持して、第１の無効電力を注入する。これによって、電圧変動抑制機能を抑制し当該機能と単独運転検出機能との干渉を避け、電力変換装置１００を運転したまま、単独運転検出を行うことができる。
【００６９】
具体的には、例えば、第１の無効電力の前回値からの変化量と、第２の無効電力の前回値からの変化量とに関して、一方の変化量が進み方向であって他方の変化量が遅れ方向である場合、第１の無効電力が、第２の無効電力と干渉する。そこで、制御部２０は、第２の無効電力の現在値を一定に保持した状態で第１の無効電力を注入する。これにより、制御部２０は、電圧変動抑制機能を一定状態に保持し、単独運転検出を行うことができる。
【００７０】
また、制御部２０は、第１の無効電力の前回値からの変化量が０以外の値であるとき、第２の無効電力の現在値を一定に保持するようにしてもよい。これにより、第１の無効電力が第２の無効電力と干渉する場合はもちろん、干渉しない場合も含めて、制御部２０は、電圧変動抑制機能を一定状態に保持し、単独運転検出を行うことができる。
【００７１】
なお、本開示は、直流電源３と、電力変換装置１００と、を有する電源システムでもある。また、本開示は、電力変換装置１００についての、その制御方法であって、電力変換部５０のスイッチング動作を制御するとともに、交流電路４の交流電圧に基づいて、単独運転検出用に注入すべき第１の無効電力を求め、また、交流電路４の電圧変動抑制用の有効電力及び第２の無効電力を求め、第１演算部が第２の無効電力と干渉する第１の無効電力を注入しようとするとき、第２の無効電力の現在値を一定に保持した状態で第１の無効電力を注入する。
【００７２】
このような電力変換装置の制御方法によれば、電圧変動抑制の動作が行われているとき同時に、単独運転検出の動作を行おうとすると、第１の無効電力が、第２の無効電力と干渉する場合があるが、このような場合に、第２の無効電力の現在値を一定に保持して、第１の無効電力を注入する。これによって、電圧変動抑制機能を抑制し当該機能と単独運転検出機能との干渉を避け、電力変換装置１００を運転したまま、単独運転検出を行うことができる。
【００７３】
《補記》
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００７４】
１  ＤＣ／ＤＣコンバータ
２  インバータ
３  直流電源
４  交流電路
５  負荷
６  連系リレー
７  商用電力系統
８  ＤＣバス
９  直流側コンデンサ
１０  直流リアクトル
１１  中間コンデンサ
１２  交流リアクトル
１３  交流側コンデンサ
１４  電圧センサ
１５  電流センサ
１６  電圧センサ
１７  電流センサ
１８  電圧センサ
２０  制御部
５０  電力変換部
１００  パワーコンディショナ
ｄ１，ｄ２，ｄ３，ｄ４，ｄ５，ｄ６  ダイオード
Ｑ１，Ｑ２，Ｑ３，Ｑ４，Ｑ５，Ｑ６  スイッチング素子
【図１】
2020078134.tif 000003
【図２】
2020078134.tif 000004
【図３】
2020078134.tif 000005
【図４】
2020078134.tif 000006
【図５】
2020078134.tif 000007
【図６】
2020078134.tif 000008